(57)【特許請求の範囲】
【請求項１】
金属の円筒体からなる音響管と、上記音響管の後端部内に音波通路としての所定の隙間を有して配置される単一指向性のマイクロホンユニットとを含む狭指向性マイクロホンにおいて、
上記音響管に対して上記マイクロホンユニットを同軸的に位置決めして、上記音響管の内径と上記マイクロホンユニットの外径との間の上記隙間を一定とするユニット位置決め手段を備えており、
上記ユニット位置決め手段は、上記マイクロホンユニットの前部音響端子側の前面周縁部分に配置されるワッシャ状に形成されたリング基板と、円周方向のほぼ等角度間隔で上記リング基板の外周縁に一体に連設された半径方向外側に延びる複数の脚片とを有し、その全体が金属の板バネ材からなり、上記各脚片が、上記リング基板の外周縁からほぼ直角に折り曲げられて上記隙間内に配置されることを特徴とする狭指向性マイクロホン。
【請求項２】
上記マイクロホンユニットを上記音響管内に保持するユニット保持金具と、上記音響管よりも長尺で上記音響管の周りに被せられる金属の円筒体からなるマイクロホンケースとをさらに備え、上記ユニット保持金具は、外径がマイクロホンケースの内径よりも小径で上記音響管の後端から突出する金具基台を有し、上記各脚片が、上記マイクロホンケースと上記金具基台との間の隙間にまで延在していることを特徴とする請求項１に記載の狭指向性マイクロホン。
【発明の詳細な説明】
【技術分野】
【０００１】
本発明は、音響管内に単一指向性のマイクロホンユニットを備える狭指向性マイクロホンに関し、さらに詳しく言えば、音響管に対してマイクロホンユニットを同軸的に位置決めする技術に関するものである。
【背景技術】
【０００２】
狭指向性マイクロホンは、前端が開放され周面に音響抵抗孔を有する細長い音響管（干渉管）を持つことからガンマイクとも呼ばれており、その一例を図３および図４により説明する。図４は、図３におけるユニット固定部分の拡大断面図である。
【０００３】
図３に示すように、狭指向性マイクロホンは、基本的な構成として、音響管１０，マイクロホンユニット２０およびマイクロホンケース３０とを備える。
【０００４】
音響管１０は、アルミニウム等の金属材からなる円筒体で、その先端部１０ａは開放されており、また、周面には音波を取り込むための音孔１１が形成されている。この例において、音孔１１は音響管１０の軸線方向に沿って形成されたスリット孔からなり、図示されていないが、不織布や網体からなる音響抵抗材で覆われている。
【０００５】
マイクロホンユニット２０は、単一指向性のコンデンサマイクロホンユニットで、図４に示すように、前部音響端子２２と後部音響端子２３とを有するアルミニウム等の金属材からなる円筒状のユニットケース２１内に、図示しない振動板と固定極とをセパレータを介して対向的に配置してなる静電型の音響電気変換器が収納されており、ユニットケース２１の後部から信号出力端子２４が引き出されている。
【０００６】
マイクロホンケース３０は、音響管１０よりも長尺で、かつ、内径が音響管１０の外径よりも大径である金属材からなる円筒体で、音響管１０の周りに被せられる。音響管１０を内管とすれば、マイクロホンケース３０はその外管である。
【０００７】
マイクロホンケース３０の先端部３０ａには、ガードネット等を有するフロントキャップが取り付けられ、また、マイクロホンケース３０の周面で音響管１０の音孔１１と対向する部分には、この例では短冊状をなす多数の開口３１が形成されている。
【０００８】
マイクロホンケース３０の音響管１０よりも後ろ側に延びている円筒部３０ｂは、グリップとして用いられる部分で、その内部には、マイクロホンユニット２０のための音声信号出力回路を有する回路基板５１が収納されている。
【０００９】
また、円筒部３０ｂの後端部には、ファントム電源と平衡２芯シールド被覆線（ともに図示しない）を介して電気的に接続される出力コネクタ５２が装着される。マイクロホンケース３０には、出力コネクタ５２をビス止めするためのビス挿通孔３２ａが穿設されている。
【００１０】
図４を参照して、マイクロホンユニット２０は、その前部音響端子２２を音響管１０の先端１０ａ側に向けて音響管１０の後端部１０ｂ内に配置されるが、これには、ユニット保持金具４０が用いられる。
【００１１】
ユニット保持金具４０は、ユニットケース２１の外周に形成されている雄ネジ２１ａと螺合する雌ネジ４１を有する螺合部と、外径がマイクロホンケース３０の内径よりも小径で音響管１０の後端から突出する金具基台４２とを有し、金具基台４２がマイクロホンケース３０に穿設されているビス挿通孔３２ｂより挿通される図示しないビスにてビス止めされる。
【００１２】
このように構成された狭指向性マイクロホンにおいては、特許文献１に記載されているように、風雑音や近接効果を低減するため、ユニットケース２１と音響管１０との間に、後部音響端子２３と前部音響端子２２とを連通させるローパスフイルタとしての隙間Ａを設けることが好ましい。
【先行技術文献】
【特許文献】
【００１３】
【特許文献１】特許第２５６２２９５公報
【発明の概要】
【発明が解決しようとする課題】
【００１４】
音響性能上、この隙間Ａは、ユニットケース２１の全周にわたって均一幅であることが要求されるが、音響管１０に対してマイクロホンユニット２０を偏心や傾きを生ずることなく同軸的に位置決めするには、かなり高度な組立技術を要する。
【００１５】
また、ユニットケース２１と音響管１０はユニット保持金具４０を介して電気的に接続され、ユニット保持金具４０はマイクロホンケース３０にビス止めされることから、これらの各部品間の電気的導通が確保しにくく静電遮蔽が不十分であ。
【００１６】
そのため、例えば携帯電話機が至近距離で使用され、これにより放射される強い電磁波が加えられると、マイクロホンユニット２０内に高周波電流が流れ込み、これが原因で雑音が発生することがある。
【００１７】
したがって、本発明の課題は、高度な組立技術を要することなく、安価で取り扱いやすい部品を用いるだけで、音響管内にマイクロホンユニットを確実に同軸的に位置決めすることができるとともに、静電遮蔽の点でも優れた狭指向性マイクロホンを提供することにある。
【課題を解決するための手段】
【００１８】
上記課題を解決するため、本発明は、金属の円筒体からなる音響管と、上記音響管の後端部内に音波通路としての所定の隙間を有して配置される単一指向性のマイクロホンユニットとを含む狭指向性マイクロホンにおいて、上記音響管に対して上記マイクロホンユニットを同軸的に位置決めして、上記音響管の内径と上記マイクロホンユニットの外径との間の上記隙間を一定とするユニット位置決め手段を備えており、上記ユニット位置決め手段は、上記マイクロホンユニットの前部音響端子側の前面周縁部分に配置されるワッシャ状に形成されたリング基板と、円周方向のほぼ等角度間隔で上記リング基板の外周縁に一体に連設された半径方向外側に延びる複数の脚片とを有し、その全体が金属の板バネ材からなり、上記各脚片が、上記リング基板の外周縁からほぼ直角に折り曲げられて上記隙間内に配置されることを特徴としている。
【００２０】
また、本発明には、上記マイクロホンユニットを上記音響管内に保持するユニット保持金具と、上記音響管よりも長尺で上記音響管の周りに被せられる金属の円筒体からなるマイクロホンケースとをさらに備え、上記ユニット保持金具は、外径がマイクロホンケースの内径よりも小径で上記音響管の後端から突出する金具基台を有し、上記各脚片が、上記マイクロホンケースと上記金具基台との間の隙間にまで延在している態様も含まれる。
【発明の効果】
【００２１】
本発明によれば、音響管に対してマイクロホンユニットを同軸的に位置決めして、音響管の内径とマイクロホンユニットの外径との間の隙間を一定とするユニット位置決め手段を備えていることにより、高度な組立技術を要することなく、音響管内にマイクロホンユニットを確実に同軸的に位置決めすることができる。
【００２２】
また、ユニット位置決め手段は、マイクロホンユニットの前部音響端子側の前面周縁部分に配置されるワッシャ状に形成されたリング基板と、円周方向のほぼ等角度間隔でリング基板の外周縁に一体に連設された半径方向外側に延びる複数の脚片とを有し、その全体が金属の板バネ材により作製されるものであってよいため、コスト負担が安価で済むとともに、部品的に取り扱いやすい。
【００２３】
また、マイクロホンユニットを音響管内に保持するユニット保持金具と、音響管よりも長尺で音響管の周りに被せられる金属の円筒体からなるマイクロホンケースとをさらに備え、ユニット保持金具は、外径がマイクロホンケースの内径よりも小径で音響管の後端から突出する金具基台を有する態様においては、各脚片をマイクロホンケースと金具基台との間の隙間にまで延在させることにより、各部品間の導通が安定で十分な静電遮蔽機能が得られる。
【図面の簡単な説明】
【００２４】
【図１】本発明による狭指向性マイクロホンの要部を示す拡大断面図。
【図２】本発明に適用されるユニット位置決め手段の好ましい態様を示す平面図。
【図３】従来の狭指向性マイクロホンを示す断面図。
【図４】図３のマイクロホンユニット取付部を示す拡大断面図。
【発明を実施するための形態】
【００２５】
次に、図１および図２により、本発明の実施形態について説明するが、本発明はこれに限定されるものではない。この実施形態の説明において、先の図３，図４で説明した従来例と実質的に同一である構成要素には、それと同じ参照符号を用いる。また、図１に示されていない構成については、図３の全体断面図を参照されたい。
【００２６】
図１に示すように、本発明においても、マイクロホンユニット２０は、ユニット保持金具４０Ａに保持された状態で音響間１０の後端部１０ｂ内に配置される。マイクロホンユニット２０は、単一指向性のコンデンサマイクロホンユニットであるが、この実施形態では、後部音響端子２３はユニットケース２１の底部側に設けられている。
【００２７】
ユニット保持金具４０Ａは、ユニットケース２１に対する螺合部４１と、外径がマイクロホンケース３０の内径よりも小径で音響管１０の後端から突出する金具基台４２とを備えているが、この実施形態において、螺合部４１はユニットケース２１内に入り込み、そのケース内面に形成されている図示しない雌ネジと螺合する雄ネジを有する。
【００２８】
また、螺合部４１と金具基台４２との間の胴部４３には、音響管１０とユニットケース２１との間に設けられるローパスフィルタとしての隙間Ａに通ずる開口４３ａが穿設されている。
【００２９】
本発明は、音響管１０内でマイクロホンユニット２０を同軸的に位置決めするためのユニット位置決め手段６０を備える。この実施形態において、ユニット位置決め手段６０には、図２に示すスペーサ６０ａが用いられている。
【００３０】
このスペーサ６０ａは、ワッシャ状に形成されたリング基板６１と、リング基板６１の外周縁に一体に連設され半径方向外側に延びる複数（この例では３つ）の脚片６２とを有し、その全体が金属の板バネ材からなる。
【００３１】
リング基板６１は、マイクロホンユニット２０の前部音響端子２２側の前面周縁部分２１ａに配置される。３つの各脚片６２は、リング基板６１の外周縁に好ましくは１２０゜の等角度間隔で配置され、その長さは、マイクロホンユニット２０の前面周縁部分２１ａからユニット保持金具４０Ａの金具基台４２にまで延びる長さであることが好ましい。
【００３２】
各脚片６２の幅は、隙間Ａのローパスフィルタとしての機能（作用）を阻害しない範囲で任意に決められてよい。板バネ材としては、厚さ０．１５〜０．２ｍｍ程度のバネ用銅合金もしくはステンレス材が好ましく採用される。
【００３３】
組立手順の一例を説明すると、まず、マイクロホンユニット２０にユニット保持金具４０Ａを取り付ける。マイクロホンユニット２０の前面周縁部分２１ａにスペーサ６０ａのリング基板６１を宛がい、各脚片６２をリング基板６１の付け根から後方のユニット保持金具４０Ａ側に向けてほぼ直角に折り曲げる。
【００３４】
そして、マイクロホンユニット２０を音響管１０内に挿入し、さらに音響管１０にマイクロホンケース３０を被せたのち、ビス挿通孔３２ｂ（図３参照）よりビスを差し込んで、金具基台４２をマイクロホンケース３０にビス止めする。
【００３５】
これにより、各脚片６２が、音響管１０とマイクロホンユニット２０との間の隙間Ａから、マイクロホンケース３０とユニット保持金具４０Ａの金具本体４２との間にかけて延在し、音響管１０に対してマイクロホンユニット２０が同軸的に位置決めされ、マイクロホンユニット２０の周りに均一幅の隙間Ａが確保されるとともに、音響管１０，マイクロホンユニット２０およびマイクロホンケース３０の各間において確実な電気的導通が得られる。
【００３６】
なお、脚片６２を２つもしくは４つ以上としてもよい。また、リング基部６１は、スペーサ６０ａをマイクロホン内に装着するまでの間、各脚片６２を保持し、マイクロホン内に装着後は不要な存在となるため、その代替として、例えば接着テープ等により各脚片６２を保持するようにしてもよい。
【符号の説明】
【００３７】
１０  音響管
２０  マイクロホンユニット
２１  ユニットケース
２２  前部音響端子
２３  後部音響端子
３０  マイクロホンケース
４０Ａ  ユニット保持金具
４１  螺合部
４２  金具基台
６０  ユニット位置決め手段
６０ａ  スペーサ
６１  リング基板
６２  脚片
Ａ  隙間
【図１】
0005534851.tif 000002
【図２】
0005534851.tif 000003
【図３】
0005534851.tif 000004
【図４】
0005534851.tif 000005